(57)【要約】【課題】利便性を向上させた表示装置および表示システムを提供することである。【解決手段】実施形態の表示装置は、施設に取り付けられる表示装置であって、有色の帯電粒子を電気泳動させ情報を表示する反射型表示部と、他装置と通信する通信部と、前記施設を利用しようとする利用者により入力された識別情報を受け付ける受付部と、前記受付部に入力された識別情報を取得する取得部と、前記取得部により取得された識別情報を他装置に送信するように前記通信部に指示し、前記他装置に前記識別情報を送信した結果に基づいて、前記施設の利用可否を示す施設利用可否情報を前記反射型表示部に表示させる制御部とを備える表示装置。【選択図】図３
2016161974.tif 000002
【特許請求の範囲】
【請求項１】
施設に取り付けられる表示装置であって、
有色の帯電粒子を電気泳動させ情報を表示する反射型表示部と、
他装置と通信する通信部と、
前記施設を利用しようとする利用者により入力された識別情報を受け付ける受付部と、
前記受付部に入力された識別情報を取得する取得部と、
前記取得部により取得された識別情報を他装置に送信するように前記通信部に指示し、前記他装置に前記識別情報を送信した結果に基づいて、前記施設の利用可否を示す施設利用可否情報を前記反射型表示部に表示させる制御部と、
を備える表示装置。
【請求項２】
前記受付部は、前記利用者により提示された媒体から前記識別情報を読み取ることにより、前記識別情報を受け付ける、
請求項１記載の表示装置。
【請求項３】
前記施設の利用状態、または前記施設の利用予約状態を示す利用情報を要求する要求信号を生成する要求信号生成部と、を更に備え、
前記制御部は、前記要求信号生成部により生成された要求信号を他装置に送信するように前記通信部に指示し、前記他装置から返信され前記通信部が受信した前記利用情報に基づいて、前記施設の利用状態、または前記施設の利用予約状態を示す情報を前記反射型表示部に表示させる、
を備える請求項１または請求項２記載の表示装置。
【請求項４】
請求項１から３のうちいずれか１項記載の表示装置と、
利用者が施設の利用予約情報を操作入力する予約端末から送信された前記利用予約情報を取得し、前記取得した利用予約情報を、所定の間隔で前記通信部へ送信するサーバ装置と、を備え、
前記制御部は、前記サーバ装置により送信された利用予約情報に基づいて、前記反射型表示部に表示させる、
表示システム。
【請求項５】
前記施設は複数存在し、
前記表示装置は、前記施設ごとに対応付けられており、
前記サーバ装置は、前記施設ごとに対応付けられた前記施設の利用状態、または前記施設の利用予約状態を示す利用情報のうち、送信先の前記表示装置に対応する前記利用情報を抽出して前記送信先の前記表示装置の通信部に送信する、
請求項４記載の表示システム。
【請求項６】
前記サーバ装置は、前記施設ごとに対応付けられた前記施設の利用状態、または前記施設の利用予約状態を示す利用情報および前記施設ごとに予め設定された優先度に基づいて、利用可能且つ優先度が高い施設を抽出し、前記抽出した施設を示す情報を前記送信先の前記表示装置の通信部に送信する、
請求項５記載の表示システム。
【請求項７】
前記サーバ装置は、前記通信部から送信された識別情報を取得し、前記取得した識別情報が前記施設を利用する権限を有する識別情報として記憶されているか否かを判定し、前記判定結果を送信し、
利用者による前記施設の利用を制限するために設けられた錠を施錠状態または開錠状態にする施錠部と、前記サーバ装置から送信された前記判定結果を受信する施錠通信部と、前記施錠通信部が受信した判定結果に基づいて、前記施錠部を開錠状態または開錠状態に制御する施錠制御部と、を有する施錠装置と、を更に備える、
請求項４から６のうちいずれか１項記載の表示システム。
【請求項８】
前記反射型表示部は、基板と、前記基板上に設けられる複数の画素電極と、前記複数の画素電極に対応付けられると共に前記複数の画素電極上に設けられる複数の前記帯電粒子を含む複数の電気泳動部と、前記複数の電気泳動部上に設けられる電極と、前記電極上に設けられるインク定着層と、前記インク定着層上に設けられる複数の画素を有するカラーフィルタとを、備える、
請求項４から７のうちいずれか１項記載の表示システム。
【請求項９】
前記表示装置は、一次電池、または蓄電池を備え、
前記制御部は、前記一次電池、または蓄電池から供給された電力により前記複数の画素電極部を駆動させる、
請求項８記載の表示システム。
【請求項１０】
前記制御部は、前記複数の画素電極のうちから電圧を印加する画素電極を選択し、前記選択した画素電極に対して電圧を印加する、
請求項８または請求項９記載の表示システム。
【請求項１１】
前記複数の画素を有するカラーフィルタは前記インク定着層上の一部の領域に設けられる、
請求項８から１０のうちいずれか１項記載の表示システム。
【請求項１２】
前記複数の画素を有するカラーフィルタは、第１の色に着色された画素と第１の色とは異なる第２の色に着色された画素を含み構成される、
請求項８から１１のうちいずれか１項記載の表示システム。
【請求項１３】
前記複数の画素を有するカラーフィルタは、透明な画素を含む、
請求項８から１２のうちいずれか１項記載の表示システム。
【請求項１４】
前記複数の画素を有するカラーフィルタは、少なくとも第１の色に着色された画素と、第１の色とは異なる第２の色に着色された画素とを含み、前記第１の色と前記第２の色の色相は、物体の色を測定するための標準光源を使用して透過光で測定したＬ＊ａ＊ｂ＊表色系において主色と補色関係にある、
請求項８から１１のうちいずれか１項記載の表示システム。
【請求項１５】
前記有色の帯電粒子は、白色と黒色の帯電粒子であり、
前記複数の画素を有するカラーフィルタは、少なくとも第１の色に着色された画素と、第１の色とは異なる第２の色に着色された画素とを含み、前記第１の色が着色された第１の画素と前記第２の色が着色された第２の画素とは対角または交互に配置され、
前記帯電粒子を電気泳動させることによって、前記第１の画素に対面する帯電粒子を白色の帯電粒子とし、第２の画素に対面する帯電粒子を黒色の帯電粒子とした場合に、
物体の色を測定するための標準光源を使用して透過光で測定したＬ＊ａ＊ｂ＊表色系において、
前記第２の色の色相角度は、第１の色の色相角度から６０度以上１５０度以下動いた範囲、または２１０度以上３００度以下動いた範囲である、
請求項８から１１のうちいずれか１項記載の表示システム。
【請求項１６】
前記複数の画素を有するカラーフィルタは、少なくとも第１の色に着色された画素と、第１の色とは異なる第２の色に着色された画素とを含み、物体の色を測定するための標準光源を使用して透過光で測定したＬ＊ａ＊ｂ＊表色系において、
前記第１の色は、物体の色を測定するための標準光源を使用して透過光で測定したＬ＊ａ＊ｂ＊表色系において色相角度が−３０度以上４５度以下の範囲であり、
前記第２の色は、前記Ｌ＊ａ＊ｂ＊表色系において色相角度が第１の色の色相角度から２１０度以上３００度以下動いた範囲である、
請求項８から１１のうちいずれか１項記載の表示システム。
【請求項１７】
前記複数の画素を有するカラーフィルタは、少なくとも第１の色に着色された画素と、第１の色とは異なる第２の色に着色された画素とを含み、物体の色を測定するための標準光源を使用して透過光で測定したＬ＊ａ＊ｂ＊表色系において、
前記第１の色は、物体の色を測定するための標準光源を使用して透過光で測定したＬ＊ａ＊ｂ＊表色系において色相角度が０度以上６０度以下の範囲であり、
前記第２の色は、前記Ｌ＊ａ＊ｂ＊表色系において色相角度が第１の色の色相角度から６０度以上１５０度以下動いた範囲にある、
請求項８から１１のうちいずれか１項記載の表示システム。
【請求項１８】
前記カラーフィルタは、少なくとも２つ以上の領域に区分され、前記区分された第１の領域に存在する複数の画素に着色される色の配列と、前記第１の領域とは異なる前記区分された第２の領域に存在する複数の画素に着色される色の配列は異なる、
請求項８から１７のうちいずれか１項記載の表示システム。
【発明の詳細な説明】
【技術分野】
【０００１】
本発明は、表示装置および表示システムに関する。
【背景技術】
【０００２】
従来、会議室の予約情報を管理するコンピュータと、コンピュータへ予約情報を入力する予約端末と、コンピュータが管理する予約情報を表示する会議室表示装置と、ＩＤカードを読み込み会議室の入退室管理を行う会議室入退室管理装置を備える会議室管理システムが知られている（例えば、特許文献１参照）。
【先行技術文献】
【特許文献】
【０００３】
【特許文献１】特開平５−６７１１５号公報
【発明の概要】
【発明が解決しようとする課題】
【０００４】
しかしながら、従来のシステムでは、会議室入退室管理装置が会議室等の施設ごとに設置されるものではないため、その場で予約をすることができなかった。このため、従来のシステムは、利用者にとって利便性が低い場合があった。
【０００５】
本発明の目的は、このような事情を考慮してなされたものであり、利便性を向上させた会議室の予約情報を表示する表示装置、および表示システムを提供することを目的とする。
【課題を解決するための手段】
【０００６】
本発明の一態様は、施設に取り付けられる表示装置であって、有色の帯電粒子を電気泳動させ情報を表示する反射型表示部と、他装置と通信する通信部と、前記施設を利用しようとする利用者により入力された識別情報を受け付ける受付部と、前記受付部に入力された識別情報を取得する取得部と、前記取得部により取得された識別情報を他装置に送信するように前記通信部に指示し、前記他装置に前記識別情報を送信した結果に基づいて、前記施設の利用可否を示す施設利用可否情報を前記反射型表示部に表示させる制御部とを備える表示装置である。受付部に識別情報が入力されることで、反射型表示部に施設の利用可否が表示されるので、利用者は施設の利用の可否を利用しようと施設がある場所で確認することができる。
【０００７】
本発明の一態様は、前記受付部は、前記利用者により提示された媒体から前記識別情報を読み取ることにより、前記識別情報を受け付ける。利用者は、媒体を提示することで施設の利用の可否情報を確認できるため、利便性が向上する。
【０００８】
本発明の一態様は、前記施設の利用状態、または前記施設の利用予約状態を示す利用情報を要求する要求信号を生成する要求信号生成部と、を更に備え、前記制御部は、前記要求信号生成部により生成された要求信号を他装置に送信するように前記通信部に指示し、前記他装置から返信され前記通信部が受信した前記利用情報に基づいて、前記施設の利用状態、または前記施設の利用予約状態を示す情報を前記反射型表示部に表示させる。要求信号に応じて、反射型表示部に施設の利用状態、または施設の利用予約状態を示す情報が表示されるため、利用者は信頼性が高い情報を取得することができる。
【０００９】
本発明の他の態様は、本発明の一態様に係る表示装置と、利用者が施設の利用予約情報を操作入力する予約端末から送信された前記利用予約情報を取得し、前記取得した利用予約情報を、所定の間隔で前記通信部へ送信するサーバ装置とを備え、前記制御部は、前記サーバ装置により送信された利用予約情報に基づいて、前記反射型表示部に表示させる表示システムである。所定の間隔で、サーバ装置により送信された利用予約情報に基づいて、表示装置は利用予約情報を表示するため、消費電力を抑制することができる。
【００１０】
本発明の他の態様は、前記施設は複数存在し、前記表示装置は、前記施設ごとに対応付けられており、前記サーバ装置は、前記施設ごとに対応付けられた前記施設の利用状態、または前記施設の利用予約状態を示す利用情報のうち、送信先の前記表示装置に対応する前記利用情報を抽出して前記送信先の前記表示装置の通信部に送信する。表示装置は、自装置に対応する利用情報を表示することができるため、適切な情報を提供することができる。
【００１１】
本発明の他の態様は、前記サーバ装置は、前記施設ごとに対応付けられた前記施設の利用状態、または前記施設の利用予約状態を示す利用情報および前記施設ごとに対応付けられた予め設定された優先度に基づいて、利用可能且つ優先度が高い施設を抽出し、前記抽出した施設を示す情報を前記送信先の前記表示装置の通信部に送信する。表示装置は、利用可能であり、且つ優先度が高い施設を利用者に提供することができるため、利用者の利便性がより向上する。
【００１２】
本発明の他の態様は、サーバ装置は、前記通信部から送信された識別情報を取得し、前記取得した識別情報が前記施設を利用する権限を有する識別情報として記憶されているか否かを判定し、前記判定結果を送信し、利用者による前記施設の利用を制限するために設けられた錠を施錠状態または開錠状態にする施錠部と、前記サーバ装置から送信された前記判定結果を受信する施錠通信部と、前記施錠通信部が受信した判定結果に基づいて、前記施錠部を開錠状態または開錠状態に制御する施錠制御部とを有する施錠装置とを更に備える。表示装置が取得した識別情報に基づいて施錠が制御されるため、セキュリティ性を向上させることができる。
【００１３】
本発明の他の態様は、前記反射型表示部は、基板と、前記基板上に設けられる複数の画素電極と、前記複数の画素電極に対応付けられると共に前記複数の画素電極上に設けられる複数の前記帯電粒子を含む複数の電気泳動部と、前記複数の電気泳動部上に設けられる電極と、前記電極上に設けられるインク定着層と、前記インク定着層上に設けられる複数の画素を有するカラーフィルタとを備える。カラーフィルタを備えるため、カラー表示が可能となり、利用者が視認しやすいように情報を提供することができる。
【００１４】
本発明の他の態様は、前記表示装置は、一次電池、または蓄電池を備え、前記制御部は、前記一次電池、または蓄電池から供給された電力により前記複数の画素電極部を駆動させる。外部電源を用いる必要がないため、設備等の準備を要しないため、利用者の利便性がより向上する。
【００１５】
本発明の他の態様は、前記制御部は、前記複数の画素電極のうちから電圧を印加する画素電極部を選択し、前記選択した画素電極に対して電圧を印加する。駆動させる画素電極部を選択がされることで、例えば、所定の領域に表示された情報のみを更新させることができる。この結果、消費電力を抑制することができる。
【００１６】
本発明の他の態様は、前記複数の画素を有するカラーフィルタは前記インク定着層上の一部の領域に設けられる。カラーフィルタを設けない部分の明度を低下させず、カラーフィルタを設けた部分では任意のカラーを表示することができる。
【００１７】
本発明の他の態様は、前記複数の画素を有するカラーフィルタは、第１の色に着色された画素と第１の色とは異なる第２の色に着色された画素を含み構成される。表示色の色は３色の赤・緑・青パターンのカラーフィルタに比べ、着色面積を大きく出来るため濃く（鮮やかに）し、彩度を高くすることができる。
【００１８】
本発明の他の態様は、前記複数の画素を有するカラーフィルタは、透明な画素を含む。カラーフィルタを形成しない画素を含むことで、明度が高くすることができる。
【００１９】
本発明の他の態様は、前記第１の色と前記第２の色の色相は、物体の色を測定するための標準光源を使用して透過光で測定したＬ＊ａ＊ｂ＊表色系において主色と補色関係にある。２色カラーフィルタを主色と補色の関係にすることで、２色カラーフィルタを形成しても両方の色を表示する事で色相において白色を表示することができる。
【００２０】
本発明の他の態様は、前記有色の帯電粒子は、白色と黒色の帯電粒子であり、前記複数の画素を有するカラーフィルタは、少なくとも第１の色に着色された画素と、第１の色とは異なる第２の色に着色された画素とを含み、前記第１の色が着色された第１の画素と前記第２の色が着色された第２の画素とは対角または交互に配置され、前記帯電粒子を電気泳動させることによって、前記第１の画素に対面する帯電粒子を白色の帯電粒子とし、第２の画素に対面する帯電粒子を黒色の帯電粒子とした場合に、物体の色を測定するための標準光源を使用して透過光で測定したＬ＊ａ＊ｂ＊表色系において、前記第２の色の色相角度は、第１の色の色相角度から６０度以上１５０度以下動いた範囲、または２１０度以上３００度以下動いた範囲である。２色が、上述した色相角度の関係（補色関係にない）を持つことにより、表示色のコントラストを高くすることができる。
【００２１】
本発明の他の態様は、前記複数の画素を有するカラーフィルタは、少なくとも第１の色に着色された画素と、第１の色とは異なる第２の色に着色された画素とを含み、物体の色を測定するための標準光源を使用して透過光で測定したＬ＊ａ＊ｂ＊表色系において、前記第１の色は、物体の色を測定するための標準光源を使用して透過光で測定したＬ＊ａ＊ｂ＊表色系において色相角度が−３０度以上４５度以下の範囲であり、前記第２の色は、前記Ｌ＊ａ＊ｂ＊表色系において色相角度が第１の色の色相角度から２１０度以上３００度以下動いた範囲である。２色カラーフィルタが記載した色相角度の関係（補色関係にない）を持つことにより、表示色の色を濃く表示することができる。２色が、上述した色相角度範囲にあることで、警告色や注意喚起色に使われる赤色を濃く表示することができる。
【００２２】
本発明の他の態様は、前記複数の画素を有するカラーフィルタは、少なくとも第１の色に着色された画素と、第１の色とは異なる第２の色に着色された画素とを含み、物体の色を測定するための標準光源を使用して透過光で測定したＬ＊ａ＊ｂ＊表色系において、前記第１の色は、物体の色を測定するための標準光源を使用して透過光で測定したＬ＊ａ＊ｂ＊表色系において色相角度が０度以上６０度以下の範囲であり、前記第２の色は、前記Ｌ＊ａ＊ｂ＊表色系において色相角度が第１の色の色相角度から６０度以上１５０度以下動いた範囲にある。２色が、上述した色相角度範囲にあることで、警告色や注意喚起色に使われる赤色を濃く表示することができる。
【００２３】
本発明の他の態様は、前記カラーフィルタは、少なくとも２つ以上の領域に区分され、前記区分された第１の領域に存在する複数の画素に着色される色の配列と、前記第１の領域とは異なる前記区分された第２の領域に存在する複数の画素に着色される色の配列は異なる。カラーフィルタの画素に着色された色を、表示場所によって変えることによって、用途に応じて表示したい箇所に必要な色を表示することができる。
【発明の効果】
【００２４】
本発明によれば、利便性を向上させた表示装置、および表示システムを提供することをことができる。
【図面の簡単な説明】
【００２５】
【図１】表示システム１の構成図。
【図２】利用情報および利用権限情報の一例を示す図。
【図３】表示ユニット５０の外観構成を示す図。
【図４】表示ユニット５０の機能構成を示す図。
【図５】表示ユニット５０に利用情報を表示させる処理の流れを示すシーケンス図。
【図６】会議室を予約した予約者が予約した会議室を利用する場合の処理に対応するシーケンス図。
【図７】利用者による会議室の利用が可能である場合に表示装置８０が表示する画像の一例。
【図８】会議室を予約していない利用者が表示ユニット５０を介して会議室を予約する場合の処理に係るシーケンス図。
【図９】表示装置８０が表示する画像の一例について説明するための図。
【図１０】表示装置８０の断面図の一例を示す図。
【図１１】表示装置８０の斜視図。
【図１２】Ｌ＊ａ＊ｂ＊（エルスター・エイスター・ビースター）表色系において色相と彩度とを示す図。
【図１３】フルカラー型について説明するための図。
【図１４】表示装置８０が表示する画像とカラーフィルタとの関係を説明するための図。
【図１５】表示システム２００について説明するための図。
【図１６】サーバ装置３０、表示ユニット５０および施錠装置２１０の処理を示すシーケンス図。
【発明を実施するための形態】
【００２６】
（第１実施形態）
以下、本発明の実施形態に係る表示装置および表示システムについて、添付図面を参照しながら説明する。
【００２７】
図１は、表示システム１の構成図である。表示システム１は、例えば予約端末１０−１ないし１０−Ｍ、または表示ユニット５０−１ないし５０−Ｎを用いて入力された施設の利用予約の情報や、施設の利用状態を示す情報をサーバ装置３０が取得し、取得した情報を対応する施設に設置された表示ユニット５０−１ないし５０−Ｎの表示部に表示させるシステムである。施設とは、例えば建物や、会議室、座席、運動場、設備などを含む。本実施形態では、一例として施設は会議室であるものとして説明する。以下、予約端末１０−１ないし１０−Ｍ、表示ユニット５０−１ないし５０−Ｎ、および表示ユニット５０−１ないし５０−Ｎにおいて、特段区別をしない場合は、符号の後に付す「−（ハイフン）」と、「１」ないし「Ｎ」と、「１」ないし「Ｍ」とを省略して表記する。
【００２８】
表示システム１は、予約端末１０と、記憶部２０と、サーバ装置３０と、表示ユニット５０とを備える。予約端末１０、記憶部２０、サーバ装置３０、および表示ユニット５０との間では、ネットワークＮＷを介した通信が行われる。ネットワークＮＷは、例えばＷＡＮ（Wide  Area  Network）や、公衆回線、ＶＰＮ（Virtual  Private  Network）、ＬＡＮ（Local  Area  Network）など含む。記憶部２０は、例えばＲＡＭ（Random  Access  Memory）やＨＤＤ（Hard  Disk  Drive）、フラッシュメモリなどの記憶装置である。
【００２９】
予約端末１０は、利用者Ｕが会議室１ないしＮの利用を予約するための端末装置である。予約端末１０は、利用者Ｕの操作によって記憶部２０に記憶された会議室１ないしＮに対応する施設の利用状態、または施設の利用予約状態に関する情報を、サーバ装置３０を介して取得する。利用者Ｕは、予約端末１０の表示部に表示された情報を参照して、利用を希望する会議室および時間帯などを操作入力し、操作入力した情報（利用予約情報）をサーバ装置３０へ送信する。
【００３０】
記憶部２０には、利用情報および利用権限情報が記憶されている。利用情報とは、施設の利用状態、または施設の利用予約状態を示す情報である。図２は、利用情報および利用権限情報の一例を示す図である。左図に示すように利用情報には、例えば利用する会議室を識別する情報（図中、会議室１〜Ｎ）や、利用日時（図中、２０ＹＹ／ＭＭ／ＤＤ、８時から１８時）、利用者を識別する情報（図中、ａ〜ｆ）などが含まれる。また、利用情報には、利用人数や、利用目的、会議室の現在の利用状況などを含んでもよい。更に記憶部２０には、利用権限情報が記憶されている。右図に示すように利用権限情報は、利用者ＩＤと、ＩＤに対応する利用者が利用できる会議室とを対応付けた情報である。例えば、図示するように利用者ａおよびｂは、会議室１ないし会議室４の利用が可能であるが、利用者ｃは会議室４の利用は不可である。そのため、サーバ装置３０は、利用者ｃから会議室４の利用予約申し込みがされた場合、予約不可であると判定する。
【００３１】
サーバ装置３０は、処理部３４と、通信部３２とを備える。通信部３２は、ネットワークＮＷを介して、予約端末１０および表示ユニット５０と通信する。処理部３４は、記憶部２０に記憶された情報に基づいて、通信部３２を介して取得した情報を処理する。また、処理部３４は、処理結果を記憶部２０に記憶させる。処理部３４は、例えば予約端末１０からの要求に応じて、指定された日の利用情報を返信する。処理部３４は、例えば利用者により操作入力された会議室の予約希望を示す利用予約情報を受け付けて、記憶部２０に記憶された利用情報を更新する。また、処理部３４は、記憶部２０に記憶された利用情報を表示ユニット５０へ送信する。
【００３２】
表示ユニット５０は、例えば会議室の入口付近の壁などに設置され、当該会議室に対応する利用情報や、利用の状態を示す情報を表示する。図３は、表示ユニット５０の外観構成を示す図である。また、図４は、表示ユニット５０の機能構成を示す図である。表示ユニット５０は、例えば時計５２と、第１の入力ボタン５４と、第２の入力ボタン５６と、読取部５８と、電源部５９と、制御部６０と、通信部７０と、表示装置８０とを備える。制御部６０は、表示ユニット５０が備えるＣＰＵ等のプロセッサがプログラムメモリに格納されたプログラムを実行することで機能するソフトウェア機能部である。また、制御部６０のうち一部または全部は、ＬＳＩ（Large  Scale  Integration）やＡＳＩＣ（Application  Specific  Integrated  Circuit）等のハードウェア機能部であってもよい。時計５２は、時刻を表示する。時計５２は、一次電池や、蓄電池などの電源部を自装置内に備える。時計５２は、電源部から供給された電力により駆動部を駆動させることで時刻を表示する。
【００３３】
第１の入力ボタン５４は、利用者によりプッシュ操作された場合に、プッシュ操作に対応する信号を制御部６０へ出力する。同様に、第２の入力ボタン５６は、利用者によりプッシュ操作された場合に、プッシュ操作に対応する信号を制御部６０へ出力する。
【００３４】
読取部（受付部）５８は、利用者により提示された媒体から情報を読み取る。読取部５８は、例えば近距離無線通信を行うことで利用者により提示されたＩＣカードに記憶された情報を読み取るＩＣカードリーダである。読取部５８は、利用者に提示された社員証などのＩＤカード（図３、ＩＤ）が近づけられると、ＩＤカードに含まれるＩＣ（Integrated  Circuit）チップ（図３、ＩＣ）を起動させて無線通信を行う。読取部５８は、無線通信によりＩＣチップに記憶された情報を取得し、取得した情報を制御部６０へ出力する。なお、読取部５８は、磁気的に記憶された情報を読み取る磁気情報読取部であってもよい。また、複数のプッシュボタンが設けられた操作部であってもよい。この場合、利用者は、プッシュ操作により情報を操作入力する。
【００３５】
電源部５９は、第１の入力ボタン５４、第２の入力ボタン５６、読取部５８、通信部７０、および表示装置８０に電力を供給する。電源部５９は、例えば一次電池や、蓄電池などである。また、電源部５９は、外部電源と電気的に接続されてもよい。この場合、電源部５９は、外部電源から供給される電力を各部へ提供する。
【００３６】
制御部６０は、表示制御部６２と、情報処理部６４とを備える。表示制御部６２は、サーバ装置３０から送信された情報に基づいて、表示装置８０に画像を表示させる。表示される画像は、サーバ装置３０から送信された情報に対応する画像である。情報処理部６４は、第１の入力ボタン５４、第２の入力ボタン５６、および読取部５８から情報を取得し、通信部７０を介して取得した情報をサーバ装置３０へ送信する。通信部７０は、ネットワークＮＷを介してサーバ装置３０と通信する。なお、制御部６０は、表示装置８０に備えられてもよいし、表示装置８０と別体であってもよい。
【００３７】
表示装置８０は、制御部６０より出力された信号に基づく画像や文字等の各種情報を表示する。本実施形態の表示装置８０は、例えば、帯電粒子を電気泳動させ情報を表示する反射型表示装置、いわゆる電子ペーパーを実現する装置である。表示装置８０は、電気泳動させる帯電粒子を選択することで、部分的に画像を書き換えることができる。表示装置８０の構成については後述する。表示装置８０の大きさは表示するデータ量や見易さにより選ぶが、７インチ〜１３インチ程度の小〜中型が好ましい。
【００３８】
図５は、表示ユニット５０に利用情報を表示させる処理の流れを示すシーケンス図である。まず、サーバ装置３０は、予約端末１０から利用者により操作入力された施設の利用予約情報を取得する（ステップＳ１００）。次に、サーバ装置３０は、取得した利用予約情報に基づいて、記憶部２０に記憶された利用情報を読み出して、読み出した利用情報を更新する（ステップ１０２）。更新とは、サーバ装置３０が利用者により操作入力された利用予約情報を、記憶部２０に記憶された利用情報の対応する領域に記憶させる処理である。これにより利用者により操作入力された会議室の予約がなされる。
【００３９】
次に、サーバ装置３０は、記憶部２０に記憶された利用情報から送信先の表示ユニット５０に対応する会議室の利用情報を抽出する（ステップＳ１０４）。次に、サーバ装置３０は、抽出した利用情報に基づいて表示信号を生成し、生成した表示信号を表示ユニット５０へ送信する（ステップＳ１０６）。なお、表示信号とは、表示装置８０に表示させたい画像に対応する信号である。次に、表示ユニット５０の表示制御部６２が、表示信号に基づいて表示装置８０に利用情報を表示させる（ステップＳ１０８）。これにより、例えば図３に示すように表示装置８０は、所定の会議室（会議室１）に対応する利用情報を表示する。会議室１は、情報が更新された２０ＹＹ／ＭＭ／ＤＤの９：００においては空室であること、９：００〜１１：００および１３：００〜１５：００の時間帯で利用予約がされていることを、表示装置８０に表示された画像により、利用者は認識することができる。
【００４０】
次に、サーバ装置３０は、ステップＳ１０６の処理において表示信号を送信したときから所定時間後に、ステップＳ１０６と同様に表示ユニット５０に対応する会議室に対応する利用情報を抽出する（ステップＳ１１０）。次に、サーバ装置３０は、抽出した利用情報に基づいて表示信号を生成し、生成した表示信号を表示ユニット５０へ送信する（ステップＳ１１２）。次に、表示ユニット５０の表示制御部６２が、表示信号に基づいて表示装置８０に利用情報を表示させる（ステップＳ１１４）。このように、サーバ装置３０は、表示信号を表示ユニット５０に送信してから所定時間経過毎に（所定の間隔で）、利用情報を記憶部２０から抽出し、抽出した利用情報に基づいて表示信号を生成し、生成した表示信号を表示ユニット５０へ送信する動作を繰り返す。
【００４１】
ステップＳ１１６は、表示ユニット５０が、要求信号をサーバ装置３０へ送信する処理である。要求信号とは、表示信号の送信をサーバ装置３０に要求する信号である。例えば図３に示した第１の入力ボタン５４が、利用者によりプッシュ操作されると、表示ユニット５０は、要求信号を生成し、生成した要求信号をサーバ装置３０へ送信する（ステップＳ１１６）。次に、サーバ装置３０は、要求信号を取得すると、記憶部２０に記憶された表示ユニット５０に対応する会議室の利用情報を抽出し（ステップＳ１１８）、抽出した利用情報に基づいて表示信号を生成し、生成した表示信号を表示ユニット５０へ送信する（ステップＳ１２０）。次に、表示ユニット５０の表示制御部６２が、表示信号に基づいて表示装置８０に利用情報を表示させる（ステップＳ１２２）。すなわち表示装置８０は、利用者により第１の入力ボタン５４が押圧されたときにおける利用情報を表示する。これにより、本フローチャートの処理が終了する。なお、本実施形態では、サーバ装置３０が所定時間毎に表示信号を送信したが、表示ユニット５０が、所定間隔で要求信号をサーバ装置３０へ送信してもよい。
【００４２】
例えば、一般的に液晶ディスプレイや、有機ＥＬなどを用いた他の表示装置では電圧を印加することで表示部に画像を表示させる。このため、長時間、画像を表示させるためには、外部電源との接続や、容量の大きい電池などの設備が必要である。また、電池の充電や、交換が数時間、または数日ごとに必要である場合がある。これに対して、本実施形態では、表示装置８０は、反射型表示装置を用いている。反射型表示装置は、帯電粒子を電気泳動させ画像を表示させると、長期間の間（例えば１年）、電力を用いることなく表示させた画像を保持することができる。このため、例えば表示装置８０に表示させる画像を所定間隔（例えば１から１０分）に更新させることで、他の表示装置では数時間、または数日しか利用できない電池を用いても、数カ月以上、画像を所定時間毎に更新させて、更新させた画像を表示させることができる。
【００４３】
なお、表示装置８０が消費する電力は、他の装置との通信、または帯電粒子を電気泳動させることで実行する画像の切り換え頻度が低い程、消費する電力を抑制することができる。また、他の装置との通信、または画像の切り換え頻度を少なくする場合、利用者は、表示装置８０に表示された画像に含まれる画像を切り換えた時刻（情報更新時刻）と、表示ユニット５０が備える時計５２が示す時刻とを参照することで、画像に表示された情報の信頼度を判断することができる。この場合、利用者は、必要に応じて画像を更新させることで信頼度の高い情報を取得することができる。
【００４４】
図６は、会議室を予約した予約者が予約した会議室を利用する場合の処理に対応するシーケンス図である。本処理は、会議室の予約者が、予約した日時に会議室に対応する表示ユニット５０を操作する場合を想定している。
【００４５】
まず、表示ユニット５０の読取部５８が、利用者によりＩＤカードが提示されるまで待機する（ステップＳ１４０）。利用者によりＩＤカードが読取部５８に提示されると、読取部５８がＩＤカードのＩＣチップに記憶された識別情報を読み取り、読み取った情報を表示ユニット５０がサーバ装置３０へ送信する（ステップＳ１４２）。サーバ装置３０は、表示ユニット５０から送信された識別情報を取得し、取得した識別情報と記憶部２０に記憶された利用情報に対応する識別情報とが合致するか否かを判定する（ステップＳ１４４）。サーバ装置３０は、例えば利用者がＩＤカードを提示した表示ユニット５０に対応する会議室において、利用者がＩＤカードを提示した日時に利用者により当該会議室の利用予約がされているか否かを判定する。サーバ装置３０は、判定結果を表示させるための信号を表示ユニット５０へ送信する（ステップＳ１４６）。
【００４６】
表示ユニット５０の表示制御部６２は、送信された信号を取得し、取得した信号に基づいて利用者が会議室を利用できるか否かの判定結果を表示装置８０に表示させる（ステップ１４８）。表示制御部６２は、会議室の利用が不可である場合、利用不可を示す情報を表示装置８０に表示させ、会議室の利用が可能である場合、利用可能を示す情報を表示装置８０に表示させる。これにより、本フローチャートの処理が終了する。
【００４７】
図７は、利用者による会議室の利用が可能である場合に表示装置８０が表示する画像の一例である。会議室利用の予約をしていた利用者が、ＩＤカードを読取部５８に提示し、サーバ装置３０により会議室の利用ができると判定された場合、表示制御部６２は、例えば上図、領域Ｔを「在室」と表示させる。これにより会議室は予約者により利用されていることを、他の者に知らせることができる。また、画像には、画像が更新された日時における利用可能な会議室（図中、空き会議室３）が含まれるため、他の者は利用可能な会議室を認識することができる。記憶部２０には、会議室に対して、優先度が高い順に他の会議室が対応付けられている。優先順位は、例えば利用者が操作入力した表示ユニット５０に対応する会議室に対して移動距離が短い、または移動時間が短い会議室に対しては優先順位を高くし、移動距離が長い、または移動時間が長い会議室に対しては優先順位を低くしている。サーバ装置３０は、操作入力された表示ユニット５０と、記憶部２０に記憶された情報から優先度が高く、且つ利用可能な会議室を抽出する。サーバ装置３０は、抽出した会議室を表示装置８０に表示させるように表示信号を生成する。
【００４８】
また、表示ユニット５０を用いて予約の取り消しを行うことができる。例えば会議の利用人数や、会議に用いる機器の変更があり、利用者が予約した会議室では設備や、大きさが不足することとなった場合、例えば利用者により第２の入力ボタン５６がプッシュ操作されると、表示制御部６２の制御によって、下図に示すような問い合わせ画像を表示装置８０に表示させる。表示された画像に対応する操作が利用者により行われると、操作に対応する信号がサーバ装置３０に送信される。サーバ装置３０は、操作に対応する信号に基づいて処理を実行する。この場合、サーバ装置３０は、操作に対応する信号と処理とを対応付けて記憶している。
【００４９】
例えば利用者によりＩＤカードが提示されると、サーバ装置３０は、ＩＤカードから読み取られた識別情報と、会議室の予約者の識別情報とが合致するか否かを判定し、識別情報が合致する場合、予約を取り消す。また、サーバ装置３０は、利用者により第２の入力ボタン５６がプッシュ操作されると、サーバ装置３０は、利用できる会議室、および利用できる会議室の位置情報を利用者へ提示して、利用予約をするか否かを問い合わせる画像を表示装置８０に表示させる。サーバ装置３０は、利用者による表示ユニット５０の操作入力に基づいて、会議室の利用予約を実行する処理を行なってもよい。また、サーバ装置３０は、利用者により第１の入力ボタン５４がプッシュ操作されると、サーバ装置３０は、会議室の利用状態や、予約状況を示す画像を表示装置８０に表示させる。
【００５０】
なお、表示ユニット５０が操作に対応する信号をサーバ装置３０へ送信することに代えて、表示ユニット５０の制御部６０が、利用者の操作に基づいて問い合わせ画像を表示装置８０に表示させてもよい。また、表示装置８０の制御部６０が、利用者の操作入力に基づいて、サーバ装置３０に実行する処理を指示する信号を送信してもよい。この場合、表示装置８０の制御部６０には、例えば利用者の操作に基づいて問い合わせ画像を表示装置８０に表示させたり、操作入力に対応する信号をサーバ装置３０に対して処理を指示する指示信号に変換したりするアプリケーションプログラムがインストールされている。
【００５１】
図８は、会議室を予約していない利用者が表示ユニット５０を介して会議室を予約する場合の処理に係るシーケンス図である。会議室の利用予約がされていない場合、または利用されていない場合、表示装置８０により会議室が空室であることが表示されている。本実施形態では、この場合に、利用者が表示ユニット５０を介して会議室を予約する場合について説明する。
【００５２】
まず、表示ユニット５０の読取部５８が、利用者によりＩＤカードが提示されるまで待機する（ステップＳ１６０）。利用者によりＩＤカードが提示されると、読取部５８は、ＩＤカードのＩＣチップに記憶された利用者の識別情報を読み取り、読み取られた利用者の識別情報をサーバ装置３０へ送信する（ステップＳ１６２）。次に、サーバ装置３０は、送信された識別情報を参照して識別情報が記憶部２０に記憶された識別情報と合致するか否かを判定すると共に、所定時間（例えば３０分）、会議室を使用できるか否かを判定する（ステップＳ１６４）。サーバ装置３０は、例えば現在の時刻と会議室の予約が入っている時刻とを参照し、所定時間（例えば３０分）、予約を入れられるかを判定する。現在の時刻から所定時間以内に予約が入っている場合は、会議室の利用を不可とする。サーバ装置３０は、識別情報の合致および所定時間の利用予約を入れられると判定した場合、所定時間の利用予約を記憶部２０に記憶された利用情報に反映させ記憶させる。これによりＩＤカードを提示した利用者により会議室の利用許可がされたこととなる。次に、サーバ装置３０は、利用許可を示す情報を表示装置８０に表示させるための表示信号を表示ユニット５０へ送信する（ステップＳ１６６）。
【００５３】
次に、表示ユニット５０の表示制御部６２が、サーバ装置３０から送信された表示信号を取得し、取得した表示信号に基づいて表示装置８０に画像を表示させる(ステップＳ１６８)。図９は、表示装置８０が表示する画像の一例について説明するための図である。例えば利用者がＩＤカードを提示する際（ステップＳ１６０）には、図９の上図に示すように表示装置８０は、会議室の利用予約が入ってなく、現在空室であることが表示されているものとする。この状態において利用者ＵがＩＤカードを提示すると、表示装置８０は、サーバ装置３０の判定結果に基づいて、現在の時刻「２０ＹＹ／ＭＭ／ＤＤ  ９：００」から所定時間（図中「９：００〜９：３０」）、会議室１を利用できることを表示する。
【００５４】
次に、サーバ装置３０が、会議室の利用が予約された時間が経過した場合、表示装置８０の表示を変更させるための表示信号を生成し（ステップＳ１７０）、生成した表示信号を表示装置８０へ送信する（Ｓ１７２）。表示装置８０は、サーバ装置３０から送信された表示信号を取得し、取得した表示信号に基づいて画像を表示する（ステップＳ１７４）。図９の例では、表示装置８０は、会議室が在室であることを示す表示から空室である表示に切り換える。これにより、本処理が終了する。なお、本フローチャートでは、会議室の利用予約が入っていない場合について説明したが、例えば会議室の利用予約が入っていた場合であっても、利用予約の利用開始時刻から所定時間（例えば１０分）経過後、他の利用者の利用予約を受け付けてもよい。この場合、例えばサーバ装置３０は、利用予約の利用開始時刻から所定時間経過後に、会議室が利用されていない場合、他の利用者による会議室の利用を許可してもよい。
【００５５】
このようにサーバ装置３０は、表示ユニット５０が取得した利用者の識別情報、および記憶部２０に記憶された利用情報を参照して、利用者が会議室を利用できるか否かを判定し、判定結果を、表示ユニット５０の表示装置８０に表示させるために送信する。この結果、利用者は、表示ユニット５０を利用して会議室の利用申し込みを行い、利用予約をすることができる。
【００５６】
図１０は、表示装置８０の断面図の一例を示す図である。図１０を参照して、表示装置８０の構成の一例について説明する。表示装置８０は、基板８２上に、複数の画素電極部８４を備え、接着層８６を介して電気泳動部８７が積層されている。また、電気泳動部８７の上に、透明電極層９２と、インク定着層９４と、カラーフィルタ９５と、保護フィルム９８とが、この順で積層されている。
【００５７】
画素電極部８４は、例えば薄膜トランジスタ（ＴＦＴ：ｔｈｉｎ  ｆｉｌｍ  ｔｒａｎｓｉｓｔｏｒ）などのスイッチング素子と電気的に接続されている。画素電極部８４は、スイッチング素子の駆動に応じて透明電極層９２との間に正または負の電界を発生させる。複数の画素電極部８４は、それぞれ対応するスイッチング素子を有し、対応するスイッチング素子の駆動により電圧が印加される。スイッチング素子の駆動は、制御部６０により制御される。これにより特定の画素電極部８４に対して電圧を印加できるので、特定の画素電極部８４に対応する電気泳動部８７が電気泳動する。すなわち、表示装置８０は、表示面の所定領域のみの情報の書き換えが可能である。
【００５８】
電気泳動部８７は、格子状に接着層８６上に固定されるように配置されている。電気泳動部８７は、電気泳動により分散媒９０中を移動する有色の帯電粒子８８，８９と、電気泳動が発生しない場合に帯電粒子８８，８９の配置を保持する分散媒９０とを収容している。帯電粒子８８と帯電粒子８９は、帯電性および光学的反射率が異なる少なくとも２種類の表示媒体である。帯電粒子８８は、例えば、白色の表示媒体であって、正に帯電している。帯電粒子８９は、例えば、黒色の表示媒体であって、負に帯電している。これらの正負の関係は、逆であってもよい。帯電粒子８８、８９は、画素電極部８４の駆動により生じる電界により、電気泳動を行う移動する。例えば正に帯電した白色の帯電粒子８８は、−の電極側に引き寄せられ、負に帯電した黒色の帯電粒子８９は、＋の電極側に引き寄せられる。
【００５９】
透明電極層９２は、全面を同一の電位とする共通電極である。透明電極層９２は、例えば、透明電極層（ＩＴＯ膜）などの導電性酸化物などで形成される。インク定着層９４は、例えば、透明なガラスや樹脂などで形成される。また、インク定着層９４は、例えば、絶縁性の材料で構成される。保護フィルム９８は、カラーフィルタ９５の上に積層され、カラーフィルタ９５を保護するためのものである。
【００６０】
カラーフィルタについて説明する。カラーフィルタ９５は、例えばインク定着層９４にインクが塗布されることにより形成される。図１１は、表示装置８０の斜視図である。カラーフィルタ９５は、例えば４つのサブ画素（第１のサブ画素（１）、第２のサブ画素（２）、第３のサブ画素（３）、第４のサブ画素（４））で１画素を形成する。１画素は、１つの画素電極部８４に対応する。また、１つのサブ画素は、例えば９つの電気泳動部８７に対応する。カラーフィルタ９５の配置は、以下説明するモノカラー型、ダブルカラー型、フルカラー型、およびモノクロ型のうち、表示面の領域ごとに選択してもよいし、いずれか１つの型を選択してもよい。
【００６１】
（モノカラー型）
図１１を参照してモノカラー型について説明する。モノカラー型のカラーフィルタ９５は、補色関係にある２色のサブ画素、および透明の透明サブ画素を含んでいる。補色関係にある２色のサブ画素は、例えば赤色である赤色サブ画素９５Ｒと、シアン色であるシアン色サブ画素９５Ｃとである。カラーフィルタ９５の補色関係は、赤色とシアン色とに限らず、マゼンタ色と緑色や、黄色と青色など混色により白色となる組み合わせであればよい。補色関係とは、例えばカラーフィルタ９５の着色部の色相が、物体の色を測定するための標準光源であるＤ６５光源を使用して透過光（反射光）で測定したＬ＊ａ＊Ｂ＊（エルスター・エイスター・ビースター）表現色である。この場合、着色部の色相は透明の基材に印刷した着色画素を透過測定で測定する色相である。また、補色関係にある２色のサブ画素は、色の異なる複数の着色層により形成されてもよい。
【００６２】
図示するように４つのサブ画素は、赤色サブ画素９５Ｒ（第１のサブ画素）とシアン色サブ画素９５Ｃ（第３のサブ画素）が対角し、２つの透明サブ画素９５Ｔ‐Ａ（第２のサブ画素）と透明サブ画素９５Ｔ‐Ｂ（第４のサブ画素）とが対角するように配置される。シアン色サブ画素９５Ｃは、着色領域９５Ｃ−Ｃと非着色領域９５Ｃ−Ｓとを有し、非着色領域９５Ｃ−Ｓは着色領域９５Ｃ−Ｃの周辺に形成される。
【００６３】
図１１の上図は、赤色サブ画素９５Ｒに対面する電気泳動部８７の上部の帯電粒子を黒（帯電粒子８９）とし、他のサブ画像に対面する電気泳動部８７の上部の帯電粒子を白（帯電粒子８８）とした場合を示している。この場合、シアン色サブ画素９５Ｃ、および透明サブ画素９５Ｔ‐Ａ、９５Ｔ‐Ｂを透過した色の混色で表現され、理論上、薄いシアン色となる。ただし、実際は赤色サブ画素９５Ｒ上での表面反射による色付き等により、淡い赤色も混ざった光の混色として視認される。
【００６４】
図１１の下図は、赤色サブ画素９５Ｒに対面する電気泳動部８７の上部の帯電粒子を白（帯電粒子８８）とし、シアン色サブ画素９５Ｃ、透明サブ画像９５Ｔ-Ａ、９５Ｔ-Ｂに対面する電気泳動部８７の上部の帯電粒子を黒（帯電粒子８９）とした場合を示している。この場合、シアン色サブ画素９５Ｃに対応する領域では光がほとんど反射せず、赤色サブ画素９５Ｒ、および透明サブ画素９５Ｔ‐Ａ，９５Ｔ‐Ｂを透過した色の混色で表現されるため、赤色が表示される。なお、１画素に対応する電気泳動部８７の上部の帯電粒子を白とすると白を表示し、１画素に対応する電気泳動部８７の上部の帯電粒子を黒とすると黒を表示する。このように表示装置８０は、制御部６０により画素電極部８４が制御されることで画像や、文字等を表示する。
【００６５】
上述したモノカラー型のカラーフィルタ９５を用いると、例えば白、黒、赤色を表示することができる。モノカラー型では、カラーフィルタ９５Ｔに対面する電気泳動部８７の上部の帯電粒子を白（帯電粒子８８）として、カラーフィルタ９５Ｃ，９５Ｒに対面する電気泳動部８７の上部の帯電粒子を黒（帯電粒子８９）とすると白表示をすることができる。この場合、後述するフルカラー型のカラーフィルタを用いる場合に較べて、シアン色サブ画素９５Ｃを含むホワイトバランス調整が非常に容易であり自然な白色を表現できる。また、赤色表示の彩度を変更することができる。
【００６６】
（ダブルカラー型）
図１１の例において、赤色サブ画素９５Ｒおよびシアン色サブ画素９５Ｃに代えて、補色関係にない２色を用いてもよい。以下、ダブルカラー型と称する。ダブルカラー型では、白表示はできないが、補色関係にない２色の彩度を高く表示することができる。
【００６７】
図１２は、Ｌ＊ａ＊ｂ＊（エルスター・エイスター・ビースター）表色系において色相と彩度とを示す図である。例えば第１のサブ画素は、色相角度ｈ１が−３０度以上４５度以下の範囲にある赤系の色（第１の色）とし、第３のサブ画素は、色相角度ｈ２が第１の色相角度ｈ１から２１０度以上３００度以下動いた範囲にある青系の色（第２の色）とする。これにより、視認者に注目されやすい彩度の赤と青の表示ができる。また、第２のサブ画素または第４のサブ画素を、透明樹脂層又は空隙とすることができる。第１のサブ画素と第３のサブ画素は、補色関係でないため、混色させることで第３の色相を鮮やかな色を表示することができる。赤と青の場合は、紫色を表示できる。また、警告色や注意喚起に使われる赤色を濃く表示できる。もちろん第１のサブ画素の色相と第３のサブ画素の色相が逆の場合でも同じ表示が出来ることは明らかである。
【００６８】
また、第１のサブ画素は、上述したｈ１、ｈ２に代え、色相角度が０度以上６０度以下の範囲にある赤系の色とし、第２のサブ画素は、色相角度が第１の色相から色相角度が６０度以上１５０度以下動いた範囲にある黄緑系の色としてもよい。これにより、緑と赤およびその混色である黄色の表示ができる。また、警告色や注意喚起に使われる赤色を濃く表示できる。
【００６９】
また、第１のサブ画素に第１の色を設け、第３のサブ画素に第３の色を設けた状態で、第１のサブ画素に対面する電気泳動部８７の上部の帯電粒子を白（帯電粒子８８）とし、第３のサブ画素に対面する電気泳動部８７の上部の帯電粒子を黒（帯電粒子８９）とした場合に、第２の色の色相角度は、第１の色の色相角度から６０度以上１５０度以下動いた範囲、または２１０度以上３００度以下動いた範囲にあってもよい。このような色相角度の関係を持つことにより、第１の色と第２の色とは補色関係にないにも関わらず、濃い色を表示させることができる。
【００７０】
（フルカラー型）
図１３は、フルカラー型について説明するための図である。図１３の表示装置８０Ａは、図１１を用いて説明した表示装置８０とカラーフィルタの構成が異なる。表示装置８０Ａのカラーフィルタ９５は、三原色と透明色とで構成される。例えば、赤色サブ画素９５Ｒ、緑色サブ画素９５Ｇ、青色サブ画素９５Ｂ、および透明サブ画素９５Ｔで構成される。カラーフィルタ９５に対面する電気泳動部８７の上部の帯電粒子を全て白（帯電粒子８８）とすると、カラーフィルタ９５を透過する光のすべてが電気泳動部８７に反射され、赤色サブ画素９５Ｒ、緑色サブ画素９５Ｇ、および青色サブ画素９５Ｂを透過する光の混色により白が表示される。
【００７１】
また、図示するように赤色サブ画素９５Ｒに対応する帯電粒子を白（帯電粒子８８）とすると、カラーフィルタ９５を透過する光は赤色サブ画素９５Ｒに対応する部分で反射し、赤色サブ画素９５Ｒを透過して、他のサブ画像に対応する部分では反射されないため赤が表示される。なお、フルカラー型では、赤色サブ画素９５Ｒ、緑色サブ画素９５Ｇ、および青色サブ画素９５Ｂを用いており、透明色のサブ画素が少ないため、モノカラーに較べて白表示の反射率が低くなる傾向となる。また、モノカラーに較べて表示される色の彩度が低くなる傾向となる。
【００７２】
（モノクロ型）
カラーフィルタ９５を設けない場合は、白色および黒色の２色を表示させることができるモノクロ型となる。これにより白色または黒色を濃く表示することができる。
【００７３】
なお、図示するように４つのサブ画素のうち、透明サブ画素を含めずに第１のサブ画素（１）と第３のサブ画素（３）とに第１の色を着色し、第２のサブ画素（２）と第４のサブ画素（４））とに第２の色を着色する構成としてもよい。
【００７４】
図１４は、表示装置８０が表示する画像とカラーフィルタとの関係を説明するための図である。表示装置８０は、例えば領域Ｔ１０などのように文字情報を表示する領域は、モノクロ表示型で表示面を形成する。これにより、文字情報を明瞭に表示させることができる。また、表示装置８０において、例えば文字情報と色情報とを用いて情報を表示させる領域では、モノカラー型、ダブルカラー型、フルカラー型のカラーフィルタ９５を用いる。例えば領域Ｔ１１をフルカラー型で形成すれば、三原色の混合により生成される複数の色から会議室の利用状態に応じた色情報を表示することができる。例えば会議室を利用中の場合は赤、会議室が利用できる場合は緑、予約がされている時間に近い場合は黄色などとすることができる。また、領域Ｔ１２などのように白の背景において文字情報を表示させ、更に色情情報を表示させたい場合、モノカラー型のカラーフィルタ９５を用いることで、白色の背景に黒色の文字情報を表示させることができると共に、主色を彩度よく表示することができる。
【００７５】
更に２色を彩度高く表示させたい領域では、ダブルカラー型を用いると好適である。例えば領域Ｔ１３などのように、例えば赤と青の２色をサブ画素に用いて、会議室が空室状態の場合、青枠を表示させ、会議室が在室状態である場合、赤枠を表示させる。これにより、色情報を彩度高く表示させることができる。
【００７６】
なお、表示制御部６２は、サーバ装置３０から送信された信号を取得し、取得した信号に対応する画像を表示装置８０に表示させてもよい。この場合、予め表示装置８０のカラーフィルタ９５の構成は記憶部２０に記憶されており、サーバ装置３０は、記憶部２０に記憶されたカラーフィルタ９５の構成と表示装置８０に表示させる画像とに基づいて、信号を生成する。また、表示装置８０の制御部６０が、自装置のカラーフィルタ９５の構成を記憶し、サーバ装置３０から送信された画像表示の信号に基づいて、表示装置８０に画像を表示させてもよい。
【００７７】
以上説明した表示ユニット５０は、サーバ装置３０から送信された表示信号に基づいて、施設の利用情報を表示装置８０に表示させることができる。また、表示ユニット５０が、利用者から取得した情報をサーバ装置３０に送信し、サーバ装置３０から返信された情報に基づいて、施設の利用可否を示す情報を表示装置８０に表示させることができる。この結果、消費電力を抑制しつつ、施設の利用状態や、施設の利用可否を利用者に視認させることができる。また、表示装置８０は、画像を表示する表示領域のうち、一部の領域に表示された画像を書き換えることができるため、電力消費を抑制することができる。また、表示装置８０は、消費電力を抑制しつつ、画像を表示する領域ごとに色相や、彩度を変えて表示させることができるので、より視認性を高めて情報を表示させることができる。
【００７８】
（第２実施形態）
以下、第２実施形態について説明する。ここでは、第１実施形態との相違点を中心に説明し、第１実施形態と共通する機能等についての説明は省略する。第２実施形態では、サーバ装置３０は、表示装置８０に表示させる情報を送信すると共に、施錠装置２１０−１ないし２１０−Ｎに対しても情報を送信する。以下、施錠装置２１０−１ないし２１０−Ｎを区別しない場合は、単に施錠装置２１０と称する。
【００７９】
図１５は、表示システム２００について説明するための図である。表示システム２００は、更に施錠装置２１０を備える。施錠装置２１０は、会議室の扉を施錠する装置である。施錠装置２１０は、施錠部と、施錠通信部と、施錠制御部とを備える。施錠部は施錠制御部の制御により、扉を施錠状態、または開錠状態とする。施錠通信部は、ネットワークＮＷを介してサーバ装置３０と通信する。施錠制御部は、サーバ装置３０から送信された信号に基づいて、施錠部を制御する。
【００８０】
図１６は、サーバ装置３０、表示ユニット５０および施錠装置２１０の処理を示すシーケンス図である。本処理では、利用者が、予約端末１０を介して事前に会議室の利用予約を申し込み、サーバ装置３０が利用予約を受け付けて、記憶部２０に記憶された予約情報に反映しているものとする。
【００８１】
まず、表示ユニット５０の読取部５８が、利用者によりＩＤカードが提示されるまで待機する（ステップＳ２００）。利用者によりＩＤカードが読取部５８に提示されると、読取部５８がＩＤカードのＩＣチップに記憶された識別情報を読み取り、読み取った情報を表示ユニット５０がサーバ装置３０へ送信する（ステップＳ２０２）。サーバ装置３０は、表示ユニット５０から送信された識別情報を取得し、取得した識別情報と記憶部２０に記憶された利用情報の識別情報とが合致するか否かを判定する（ステップＳ２０４）。サーバ装置３０は、例えば利用者がＩＤカードを提示した表示ユニット５０に対応する会議室において、利用者がＩＤカードを提示した日時に利用者により当該会議室の利用予約がされているか否かを判定する。ＩＤカードを提示した利用者により会議室の予約がされている場合は、利用情報に記憶された識別情報と、表示ユニット５０から取得した識別情報とは合致する。サーバ装置３０は、判定結果を表示させるための表示信号を表示ユニット５０へ送信する（ステップＳ２０６）。次に、サーバ装置３０は、利用者により当該会議室の利用予約がされている場合、施錠装置２１０へ施錠を解除する指示する解除信号を送信する（ステップＳ２０８）。
【００８２】
表示ユニット５０の表示制御部６２は、送信された表示信号を取得し、取得した表示信号に基づいて利用者が会議室を利用できるか否かの判定結果を表示装置８０に表示させる（ステップ２１０）。表示制御部６２は、会議室の利用が不可である場合、利用不可を示す情報を表示装置８０に表示させる。会議室の利用が可能である場合、利用可能を示す情報を表示装置８０に表示させる。施錠装置２１０の施錠制御部は、施錠を解除する指示に係る信号を取得した場合、施錠を解除する（ステップＳ２１２）。これにより、本フローチャートの処理が終了する。
【００８３】
なお、本実施形態では、利用者が、予約端末１０を介して事前に会議室の利用予約を行っている場合について説明した。利用者が、事前に会議室の利用予約を行う場合に、予約端末１０を介して会議室の参加者を登録することができるようにしてもよい。この場合、サーバ装置３０が、会議室の利用情報に対応付けて会議の参加者の識別情報を対応付けて、記憶部２０に記憶させる。会議室の参加者が、読取部５８にＩＤカードを提示すると、サーバ装置３０が、提示されたＩＤカードの識別情報は会議室の利用情報に対応付けられている識別情報と合致するか否かを判定する。合致する場合には、施錠を解除するように施錠装置２１０へ指示し、合致しない場合には、施錠を解除せずに表示装置８０に施錠を解除できないことを示す情報を表示させる。このような処理を行なうことにより、会議の参加者のみに対して会議室へ入場を許可し、会議の参加者以外の者に対しては会議室へ入場を不許可とすることで、セキュリティレベルを向上させることができる。
【００８４】
また、本実施形態では、サーバ装置３０が、事前に利用者により会議室の利用申込みを受け付けていた場合について説明したが、事前に利用申し込みを受け付けてない場合、サーバ装置３０は、記憶部２０に記憶された利用情報と、利用者の識別情報とを参照し、所定の時間、利用者に対して会議室の利用を許可してもよい。また、サーバ装置３０および記憶部２０が、表示ユニット５０および施錠装置２１０のいずれかがサーバ装置３０、または記憶部２０の機能を備えてもよい。
【００８５】
以上説明した第２の実施形態では、表示ユニット５０が、利用者の識別情報を取得し、サーバ装置３０へ送信する。サーバ装置３０が、表示ユニット５０から取得した識別情報と記憶部２０に記憶された利用情報とに基づいて、利用者の会議室の利用可否を判定し、判定結果に応じた表示を表示ユニット５０にさせ、判定結果に応じた制御を施錠装置２１０にさせる。このように、表示ユニット５０により取得された情報に基づいて、会議室の施錠状態の制御と利用者への情報提供を実現できる。
【符号の説明】
【００８６】
１…表示システム、１０−１〜１０−Ｍ…予約端末、２０…記憶部、３０…サーバ装置、３４…処理部、３２…通信部、５０−１〜５０−Ｎ…表示ユニット、５４…第１の入力ボタン、５６…第２の入力ボタン、５８…読取部、６０…制御部、６２…情報制御部、６４…情報処理部、７０…通信部、８０…表示装置、８２…基板、８４…画素電極、８７…電気泳動部、８８、８９…帯電粒子、９２…透明電極層、９４…インク定着層、
【図１】
2016161974.tif 000003
【図２】
2016161974.tif 000004
【図３】
2016161974.tif 000005
【図４】
2016161974.tif 000006
【図５】
2016161974.tif 000007
【図６】
2016161974.tif 000008
【図７】
2016161974.tif 000009
【図８】
2016161974.tif 000010
【図９】
2016161974.tif 000011
【図１０】
2016161974.tif 000012
【図１１】
2016161974.tif 000013
【図１２】
2016161974.tif 000014
【図１３】
2016161974.tif 000015
【図１４】
2016161974.tif 000016
【図１５】
2016161974.tif 000017
【図１６】
2016161974.tif 000018